(57)【要約】      （修正有）【課題】放射性廃棄物にも廃液にも用いられる除染剤を提供する。【解決手段】インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの中から選択された少なくとも一種の漢方薬からなる。【選択図】なし【特許請求の範囲】
【請求項１】
放射性物質を含有する放射性廃棄物への除染に用いられる組成物であって、インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの中から選択された少なくとも一種の漢方薬からなることを特徴とする放射性廃棄物除染剤。
【請求項２】
前記各漢方薬の粒径はいずれも１ｍｍ以下であることを特徴とする請求項１に記載の放射性廃棄物除染剤。
【請求項３】
前記放射性廃棄物除染剤の総重量１００重量％に対して、その中の漢方薬の含有量が、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有することを特徴とする請求項１に記載の放射性廃棄物除染剤。
【請求項４】
前記各漢方薬の粒径はいずれも１ｍｍ以下であることを特徴とする請求項３に記載の放射性廃棄物除染剤。
【請求項５】
下記工程（ａ）〜（ｃ）を含む粉末状の放射性廃棄物除染剤の製造方法であって、
（ａ）インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン、及びサボテンの漢方薬をそれぞれ粉砕機に入れ、約１〜３０分間粉砕し、粉末状の原料として、粒径が１ｍｍ以下の漢方薬を得る工程と、
（ｂ）粉末放射性廃棄物除染剤の総重量１００重量％に対して、その中、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、攪拌器に投入する工程と、
（ｃ）上記攪拌器で、上記漢方薬の粉末状の原料を１〜６０分間ほど十分に攪拌することで、粉末放射性廃棄物除染剤として、組成の均一な組成物を得る工程と
を含むことを特徴とする粉末状の放射性廃棄物除染剤の製造方法。
【請求項６】
下記工程（ａ）〜（ｆ）を含む液状の放射性廃棄物除染剤の製造方法であって、
（ａ）インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの漢方薬をそれぞれ粉砕機に入れ、１〜３０分間ほど粉砕し、配合の粉末原料として粒径が１ｍｍ以下の漢方薬を得る工程と、
（ｂ）粉末放射性廃棄物除染剤の総重量１００重量％に対して、その中の漢方薬の含有量が、インディアン・アーモンドを１〜４．２重量％、ベニバラを０．５〜４．５重量％、厚朴（コウボク）の比重を１．５〜４．１重量％、オニノヤガラの比重を２〜４．１重量％、黄連（オウレン）の比重を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）重を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、攪拌器に投入する工程と、
（ｃ）上記攪拌器にて、上記漢方薬の粉末状の原料を１〜６０分間ほど十分に攪拌することで、粉末状の放射性廃棄物除染剤として、組成の均一な組成物を得る工程と、
（ｄ）前記工程（ｃ）で得られた粉末状の放射性廃棄物除染剤を煎じ鍋に投入し、適当に粉末状の放射性廃棄物除染剤と水の含有比率が１：２〜１：１０になるように水を添加する工程と、
（ｅ）前記煎じ鍋内の物質を沸騰するまで加熱した後、９５〜１１０℃に保持しながら、引き続いて３０分間〜２時間煎じる工程と、
（ｆ）固液分離で固形分を除去することにより、液状の放射性廃棄物除染剤を得る工程と
を含むことを特徴とする液状の放射性廃棄物除染剤の製造方法。
【請求項７】
下記工程（ａ）〜（ｄ）を含む液状の放射性廃棄物除染剤の製造方法であって、
（ａ）漢方薬組成物の総重量１００重量％に対して、その中の漢方薬の含有量が、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、煎じ鍋に投入する工程と、
（ｂ）前記工程（ａ）にて前記漢方薬組成物が投入された前記煎じ鍋に、さらに水を、前記漢方薬組成物と水との含有比率が１：２〜１：１０になるように添加する工程と、
（ｃ）前記煎じ鍋内にて、前記漢方薬組成物を沸騰するまで加熱した後、９５〜１１０℃に維持しながら、引き続いて３０分間〜２時間煎じる工程と、
（ｄ）固液分離で固形分を除去して液状の放射性廃棄物除染剤を得る工程と
を含むことを特徴とする液状の放射性廃棄物除染剤の製造方法。
【請求項８】
下記（ａ）〜（ｈ）工程を含む放射性廃棄物の処理方法であって、
（ａ）漢方薬組成物の総重量１００％に対して、その中の漢方薬の含有量が、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％、残りはサボテンとして含有するように、煎じ鍋に投入する工程と、
（ｂ）前記工程（ａ）にて前記漢方薬組成物が投入された前記煎じ鍋に、さらに水を、前記漢方薬組成物と水との比率が１：２〜１：１０になるように添加する工程と、
（ｃ）前記煎じ鍋内にて前記漢方薬組成物を沸騰するまで加熱した後、９５〜１１０℃に維持しながら、引き続いて３０分間〜２時間煎じる工程と、
（ｄ）固液分離で固形分を除去して液状の放射性廃棄物除染剤を得る工程と、
（ｅ）処理対象としての放射性廃棄物を反応槽に導入し、前記工程（ｄ）に得られた前記液状の放射性廃棄物除染剤を、前記放射性廃棄物と前記液状の放射性廃棄物除染剤の比例を２００：１〜１：２にするように投入する工程と、
（ｆ）攪拌器で、前記反応槽に含まれた物質を１〜６０分間ほど十分に攪拌し、均一状態に混合させる工程と、
（ｇ）６時間〜３０日間放置する工程と、
（ｈ）固液分離で液体を除去して、処理された廃棄物を得る工程と
を含むことを特徴とする放射性廃棄物の処理方法。
【請求項９】
前記工程（ａ）における漢方薬の粒径はいずれも１ｍｍ以下であることを特徴とする請求項８に記載の放射性廃棄物処理方法。
【請求項１０】
下記工程（ａ）〜（ｇ）を含む放射性廃水の処理方法であって、
（ａ）漢方薬組成物の総重量１００重量％に対して、その中の漢方薬の含有量が、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、煎じ鍋に投入する工程と、
（ｂ）前記工程（ａ）にて漢方薬組成物が投入された前記煎じ鍋に、さらに水を、前記漢方薬組成物と水との配合比が１：２〜１：１０になるように添加する工程と、
（ｃ）前記煎じ鍋内の物質を沸騰するまで加熱した後、９５〜１１０℃に維持しながら、引き続いて３０分間〜２時間煎じる工程と、
（ｄ）固液分離で固形分を除去して液状の放射性廃棄物除染剤を得る工程と、
（ｅ）処理対象としての放射性廃水を反応槽に導入し、工程（ｄ）に得られた前記液状の放射性廃棄物除染剤を、前記放射性廃水と前記液状の放射性廃棄物除染剤の比率が２００：１〜１：２になるように投入する工程と、
（ｆ）攪拌器にて前記反応槽に含有された物質を１〜６０分間ほど十分に攪拌し、均一状態に混合させる工程と、
（ｇ）６時間〜３０日間放置してから、処理された廃水を得る工程と
を含むことを特徴とする放射性廃水の処理方法。
【請求項１１】
前記工程（ａ）における前記各漢方薬の粒径はいずれも１ｍｍ以下であることを特徴とする請求項１０に記載の放射性廃水の処理方法。
【発明の詳細な説明】
【技術分野】
【０００１】
本発明は放射性廃棄物の除染方法に関するものである。特に、放射性廃棄物において、核汚染物の放射性核種の濃度を効果的に減少させる処理方法及びその処理剤に関するものである。
【背景技術】
【０００２】
放射性廃棄物は、放射性物質を含む廃棄物、例えば、放射性廃水、放射性廃気及び放射性固体廃棄物を指す。それらは、主に、核関連工業施設、原子力発電所、放射性同位体を使用する医療部門及び原子力応用科学研究所などの施設で排出される。原子力工業の発展と放射性同位体の普及に伴って、放射性廃棄物が日々増え続けているので、それに対しきちんと処理しなければならない。一旦放射性廃棄物が処理を受けないか又は十分に処理されずに排出された場合、放射性により、環境への汚染があったり、水質が悪くなったり動植物の生長を阻害したりするだけではなく、人体健康にも、さらに我々の後代子孫にも悪い影響を与えるおそれがある。
【０００３】
放射性物質の放射能が時間経過に伴って崩壊することを踏まえて、放射性廃棄物に対しては、一般的にそれを外部と隔離し、それに含まれる放射性成分が崩壊して危険を起こさないまでの一定の期間に厳密に保管することで処理することができる。しかし、保管期間は放射能レベルによって異なっている。例えば、一般的な医療用放射性物質または工業放射性物質に対しての隔絶期間は、数時間から数年間の程度であるが、極度汚染の放射性物質に対しての隔絶期間は、千年以上かかる場合もあろう。
【０００４】
従来の放射性廃棄物の処理方法としては、希釈分散、濃縮保存及びリサイクルなどにより放射性物質を処理する方法が挙げられる。しかし、濃縮された放射性廃棄物を保存するとしても、あくまで一時的な措置であるので、危険性が潜んでいる。放射性廃棄物を安全に搬送、保存や処理するために、例えば、放射性廃水または放射性濃縮物などを安定な固化体状態に転化しなければならない。このため、放射性廃棄物の処理コストが急増する問題がある。
【０００５】
また、放射性廃棄物への処理は、放射性排出物に対するコントロール処理（例えば、希釈処理）と放射性廃棄物の最終処理を含む。その中、放射性含有物質の排出を効果的に管理するため、放射性排出物（例えば、放射性液体や放射性気体）を環境に排出する前には、放射性排出物を、政府により規定された排出基準以下にするように処理しなければならない。例えば、台湾では、各種類の放射性物質への処理は、行政院原子能委員会により１９７０年に発行された「遊離放射線保護安全基準」に規定の各核種濃度（単位はベクレル（Ｂｅｃｑｕｅｖｅｌ，Ｂｑ）である）の制限値を満たさなければならない。このため、放射性廃棄物の処理コストが上がる上、産業の競争力を下げる虞がある。
【０００６】
一方、放射性廃棄物を最終処分すれば、それを人工で管理したり、廃棄物のリサイクルをしなくても良いから、自然環境や人類への危険性を防止するためには、放射性廃棄物を生物圏からきちんと隔絶させることにより、処置対象の放射性物質を徐々に崩壊させる上に、長い時間の経過に伴ってその危険性が消えていくようにしなければならない。
【０００７】
また、原子力発電所事故において放射性核種の飛散、漏洩が発生し、様々な場所に汚染が拡大している。特に至る所に降り積もって放射線を出し続ける放射性核種の除去は一刻を争う緊急課題である。放射性核種による汚染が広範多岐に渡る中、コンクリート、木材等の建築材、土壌や植物等の汚染浄化は生活圏の安全を確保をする上で重要なことである。
【発明の概要】
【発明が解決しようとする課題】
【０００８】
本発明者は上記に述べた問題に鑑みて鋭意に検討した。本発明は、上記の課題を解決することを目的とし、放射性廃棄物の放射能レベルを、より低い状態にすると共に、放射性廃棄物の処理コストを減少ことができる、放射性廃棄物除染剤及びその製造方法、並びにそれを使用した処理方法を提供することにある。
【課題を解決するための手段】
【０００９】
上記の課題を解決すべく発明者らは鋭意検討した結果、漢方薬を煎じる方法をベースにして開発した特別な放射性廃棄物除染剤及びその処理方法を利用すれば、放射能レベルの高い放射性廃棄物を、放射能レベルの低い状態にすることができることを見出し、本発明を完成するに至った。
【００１０】
本発明者は上記の課題は次のような手段によって解決することがわかった。つまり、本発明によれば、放射性物質を含有する放射性廃棄物への除染に用いられる組成物であって、インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの中から選択された少なくとも一種の漢方薬からなる、粉末状または液状の放射性廃棄物除染剤、及びその製造方法を提供する。
【００１１】
また、本発明によれば、粉末状または液状の放射性廃棄物除染剤を以て、放射性廃棄物、放射性廃水や放射性廃土などを処理する方法を提供する。
【発明の効果】
【００１２】
複数の漢方薬を配合した本発明の除染剤を放射性廃棄物に適用すると、その放射能レベルの低下における具体的なメカニズムはまだ明確でないが、台湾行政院原子能委員会核能研究所による除染試験報告から分かるように、本案の除染剤では、放射線汚染された土に投入してそれを処理した後、その土の放射能レベルが４％下がったという結果を得られたと共に、その濾過液は放射線により汚染されていないと確認した。また、本発明の除染剤を放射性廃水の処理に適用した結果、処理後の廃水における放射能レベルは１〜１３％下がった。
【００１３】
これらの試験結果から分かるように、本発明に係わる放射性廃棄物除染剤は、放射性廃棄物や廃水のいずれかに対しても放射能レベルを下げることができると共に、本発明は従来技術と比べて顕著な進歩性を有しているものであると確証した。
また、本発明の放射性廃棄物除染剤の原料として使用されるのは、いずれも安い漢方薬であるので、本発明によれば、大幅に放射性廃棄物除染剤の製造コストを下げるに伴なって、産業よりの放射性廃棄物や放射性廃水に対する処理コストを下げることができる。
【図面の簡単な説明】
【００１４】
【図１】図１は粉末状の放射性廃棄物除染剤の製造フローチャートである。
【図２】図２は液状の放射性廃棄物除染剤の製造フローチャートである。
【図３】図３は放射性廃棄物処理フローチャートである。
【図４】図４は放射性廃水処理フローチャートである。
【発明を実施するための形態】
【００１５】
以下に、本発明の放射性廃棄物除染剤の組成、製造方法と放射性廃棄物処理方法を順番に説明する。
【００１６】
本発明の放射性廃棄物除染剤は、放射性物質を含有する放射性廃棄物への除染に用いられる組成物であって、除染有効成分として、漢方薬を含有することを技術的特徴としている。本発明に用いられる漢方薬としては、放射性廃棄物における放射性物質の放射能レベルを減少できる除染物であれば、特に制限されない。例えば、インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンなどが挙げられる。また、除染有効成分としての漢方薬は、１種類単独で用いてもよいし、２種類以上を併用してもよい。
【００１７】
本発明に係わる放射性廃棄物除染剤において、各漢方薬の含有量は、特に制限されない。例えば、それぞれ、放射性廃棄物除染剤組成物の総重量１００重量％に対して、インディアン・アーモンドを１〜４．２重量％、ベニバラ比重０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉比重１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹比重１．５〜４．１重量％、バナナを２．４〜４．４重量％、アコウ亜属を２〜４重量％、カボチャ比重２〜４．２重量％、レモンを１．５〜４．２重量％として含むことが好ましい。その残りはサボテンとして含有してもよい。
【００１８】
本発明に係わる放射性廃棄物除染剤において、各漢方薬の含有量は、特に制限されない。例えば、それぞれ、放射性廃棄物除染剤組成物の総重量１００重量％に対して、インディアン・アーモンドを１〜４．２重量％、ベニバラ比重０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉比重１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹比重１．５〜４．１重量％、バナナを２．４〜４．４重量％、アコウ亜属を２〜４重量％、カボチャ比重２〜４．２重量％、レモンを１．５〜４．２重量％として含むことが好ましい。その残りはサボテンとして含有してもよい。
【００１９】
本発明の放射性廃棄物除染剤の製造方法は、下記に示す工程を有することができる。
（ａ）漢方薬を準備する工程；
例えば、各漢方薬をそれぞれ粉砕機に投入し、１〜３０分間ほど粉砕することにより、配合の粉末原料として粒径の１ｍｍ以下の漢方薬を得る工程であってもよい。漢方薬として、インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの中から選択された少なくとも一種であればいい。
（ｂ）漢方薬を投入する工程；
即ち、本発明に係わる放射性廃棄物除染剤の作製に必要な配合量に応じて、粉末状の漢方薬をそれぞれ攪拌器に投入する工程である。例えば、一例として、上記（ａ）工程で得られた各漢方薬の粉末をそれぞれ、粉末状の放射性廃棄物除染剤の総重量１００重量％に対し、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、攪拌器に投入すればいい。
（ｃ）粉末状の放射性廃棄物除染剤を形成する工程；
例えば、上記攪拌器にて、各漢方薬の粉末を１〜６０分間ほど、組成均一の組成物になるように十分に攪拌し、粉末状の放射性廃棄物除染剤を形成すればいい。
なお、本発明に係わる放射性廃棄物除染剤の形態は、特に制限はない。例えば、粉末状でも、液状でもよく、錠、カプセル等のような形態であってもよい。
【００２０】
粉末状の放射性廃棄物除染剤の製造方法は上記に述べたことを例として挙げたが、液状の放射性廃棄物除染剤の製造方法は、例えば、以下の工程（ａ）〜（ｄ）で製造することができる。
（ａ）漢方薬を準備する工程；
例えば、各漢方薬をそれぞれ粉砕機に投入し、１〜３０分間ほど粉砕することにより、配合の粉末原料として粒径の１ｍｍ以下の漢方薬を得る工程であってもよい。漢方薬として、インディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンの中から選択された少なくとも一種であればいい。
（ｂ）漢方薬を投入する工程；
例えば、一例として、上記（ａ）工程で得られた各漢方薬の粉末をそれぞれ、放射性廃棄物除染剤の総重量１００重量％に対し、インディアン・アーモンドを１〜４．２重量％、ベニバラを０．５〜４．５重量％、厚朴（コウボク）を１．５〜４．１重量％、オニノヤガラを２〜４．１重量％、黄連（オウレン）を１．５〜４．３重量％、山薬（サンヤク）を１．２〜４．２重量％、麻黄（マオウ）を０．８〜４．１重量％、半夏（ハンゲ）を１．２〜４重量％、丁香（チョウコウ）を０．８〜４．１重量％、芍薬（シャクヤク）を１．２〜４．１重量％、昆布を０．５〜４．１重量％、胡桃を１．２〜４重量％、さつま芋の葉を１〜４．２重量％、木白虹（モクビャッコウ）を１．３〜４．１重量％、シナモンの粉を０．５〜４．３重量％、ナンバンサイカチ（ゴールデンシャワー）を１．５〜４重量％、棕櫚（シュロ）を１〜４．１重量％、アブラナの種を２〜４．３重量％、向日葵を２〜４．２重量％、茶樹を１．５〜４．１重量％、バナナを２．４〜４．４重量％、アコウ亜属を２〜４重量％、カボチャを２〜４．２重量％、レモンを１．５〜４．２重量％とし、残りはサボテンとして含有するように、攪拌器に投入すればいい。
（ｃ）水を添加する工程及び／又は煎じる工程；
例えば、前記（ａ）工程及び／又は（ｂ）工程にて前記漢方薬組成物が投入された前記煎じ鍋に、さらに水を、前記漢方薬組成物と水との含有比が１：２〜１：１０になるように添加すること、及び／又は前記煎じ鍋内にて、前記漢方薬組成物を沸騰するまで加熱した後、９５〜１１０℃に維持しながら、引き続いて３０分間〜２時間煎じることが挙げられる。
（ｄ）固液分離の工程；
上記（ｃ）工程で得られたものを固液分離することにより、固形分を除去して液状の放射性廃棄物除染剤を得ることができる。
【００２１】
本発明の液状の放射性廃棄物除染剤は、放射性廃棄物における放射性核種の濃度や放射能レベルへの低減または除去のために適用することができる。
以下、放射性廃棄物及び放射性廃水の除染処理について説明する。
【００２２】
Ａ  放射性廃棄物の処理方法
放射性廃棄物の処理方法は、液状の放射性廃棄物除染剤と放射性廃棄物とを反応槽に投入し、攪拌し、放置し、固液分離することにより、その放射性廃棄物を、得られた濾過液での放射能レベルが規制基準より低くなる（直接に排出できる）ように処理する方法である。又、処理後の固形分の放射性廃棄物濃度を一定の程度低下することができる。
その具体的な工程は、以下の通りである。
（ａ）処理対象としての放射性廃棄物を反応槽に導入し、前記液状の放射性廃棄物除染剤を、前記放射性物と前記液状の放射性廃棄物除染剤の比率が２００：１〜１：２になるように投入する工程と、
（ｂ）攪拌器で前記反応槽での物質を均一状態になるように１〜６０分間ほど十分に攪拌し、混合する工程と、
（ｃ）６時間〜３０日間放置する工程と、
（ｄ）固液分離で液体を除去することにより、処理後の放射性核種濃度が低減された廃棄物を得る工程。
【００２３】
Ｂ  放射性廃水の処理方法
放射性廃水の処理方法は、液状の放射性廃棄物除染剤と放射性廃水とを反応槽に投入し、攪拌し、放置することにより、その放射性廃水を、得られた混合液体の放射能レベルがある程度低下するように処理する方法である。
その具体的な工程は以下の通りである。
（ａ）処理対象としての放射性廃水を反応槽に導入し、前記液状の放射性廃棄物除染剤を、前記放射性物と前記液状の放射性廃棄物除染剤の比率が２００：１〜１：２になるように適当に投入する工程と、
（ｂ）攪拌器にて前記反応槽での物質が均一状態になるように１〜６０分間ほど十分に攪拌し、混合する工程と、
（ｃ）６時間〜３０日間放置し、放射性核種濃度の低下した廃水を得る工程。
【実施例】
【００２４】
以下、本発明の技術特徴とメリットについて、図１〜図４を参照しながら、並びに複数の実施例を挙げて、当業者がはっきり理解できるように説明する。
【００２５】
図１と図２は、本発明の粉末状や液状の放射性廃棄物除染剤の製造フローチャートを示す図である。図１と図２のように、本発明の除染剤の製造方法は、下記に示す工程を含んでいる。
（ａ）下記に示す各漢方薬（１０）をそれぞれ粉砕機に投入し、１〜３０分間ほど粉砕（１２）し、粉末原料としての粒径の１ｍｍ以下の漢方薬を得る工程と、
（ｂ）配合量を調整する（２０）工程、つまり、粉末放射性廃棄物除染剤の総重量１００重量％に対し、インディアン・アーモンドを２．６０重量％、ベニバラを２．５０重量％、厚朴（コウボク）を２．８０重量％、オニノヤガラを３．０５重量％、黄連（オウレン）を２．９０重量％、山薬（サンヤク）を２．７０重量％、麻黄（マオウ）を２．４５重量％、半夏（ハンゲ）を２．６０重量％、丁香（チョウコウ）を２．４５重量％、芍薬（シャクヤク）を２．６５重量％、昆布を２．３０重量％、胡桃を２．６０重量％、さつま芋の葉を２．６０重量％、木白虹（モクビャッコウ）を２．７０重量％、シナモンの粉を２．４０重量％、ナンバンサイカチ（ゴールデンシャワー）を２．７５重量％、棕櫚（シュロ）を２．５５重量％、アブラナの種を３．１５重量％、向日葵を３．１０重量％、茶樹を２．８０重量％、バナナを３．４０重量％、アコウ亜属を３．００重量％、カボチャを３．１５重量％、レモンを２．８５重量％とし、残りはサボテンとして含有するように、攪拌器に投入する工程と、
（ｃ）上記攪拌器にて、各漢方薬粉末を１〜６０分間ほど十分に攪拌（８０）し、粉末状の放射性廃棄物除染剤（１４）として、組成均一の組成物を得る工程と、
（ｄ）粉末状の放射性廃棄物除染剤（１４）を煎じ鍋に投入し、適当に水を添加すること（１５）により、その粉末状放射性廃棄物除染剤と水の比例を１：２〜１：１０にする工程と、
（ｅ）前記煎じ鍋内の物質を沸騰するまで加熱（３０）し、９５〜１１０℃に維持しながら、引き続いて３０分間〜２時間煎じる（４０）工程と、
（ｆ）固液分離（５０）で、固体漢方薬のカス（５５）を除去することにより、液状の放射性廃棄物除染剤（６０）を得る工程。
【００２６】
［Ａ・放射性廃棄物の処理方法］
図３を参照しながら、本発明の放射性廃棄物の処理方法を説明する。前記処理方法は、反応槽において、液状の放射性廃棄物除染剤と、被染放射性廃棄物除を投入し、攪拌し、放置し、固液分離することにより、得られた濾過液の放射能レベルを規制基準より低くなる（直接に排出できる）ように処理する方法である。処理により得られた固形分の放射性廃棄物において、放射能レベル濃度が一定の程度になるように低下された。その処理方法における具体的な工程に下記の通りである。
（ａ）処理対象としての放射性廃棄物（７０）を反応槽に導入し、前記液状の放射性廃棄物除染剤（６０）を、前記放射性物と前記液状の放射性廃棄物除染剤の比率が２００：１〜１：２になるように適当に投入する工程と、
（ｂ）攪拌器にて前記反応槽での物質が均一状態になるように１〜６０分間ほど十分に攪拌し、混合（８０）する工程と、
（ｃ）６時間〜３０日間放置する工程と、
（ｄ）固液分離（５０）で液体を除去（９５）することにより、放射性核種濃度が低減された処理後の廃棄物（９７）を得る工程。
【００２７】
［Ｂ・放射性廃水の処理方法］
図４を参照しながら、本発明の放射性廃水の処理方法を説明する。
放射性廃水の処理方法は、液状の放射性廃棄物除染剤と、被染放射性廃水とを反応槽に投入し、攪拌し、放置することなどにより、その混合液体の放射能レベルを一定の程度低下することができる処理方法である。そのステップは具体的に下記の通りである。
（ａ）処理対象としての放射性廃水（７５）を反応槽に導入し、前記液状の放射性廃棄物除染剤（６０）を、前記放射性物と前記液状の放射性廃棄物除染剤の比率が２００：１〜１：２になるように適当に投入する工程と、
（ｂ）攪拌器にて前記反応槽での物質が均一状態になるように１〜６０分間ほど十分に攪拌し、混合（８０）する工程と、
（ｃ）６時間〜３０日間放置（９０）して、放射性核種濃度の低下した廃水（９９）を得る工程。
【００２８】
［放射性廃棄物除染剤の製造方法］
原料として、粉砕した（粒径１ｍｍ以下）のインディアン・アーモンド、ベニバラ、厚朴（コウボク）、オニノヤガラ、黄連（オウレン）、山薬（サンヤク）、麻黄（マオウ）、半夏（ハンゲ）、丁香（チョウコウ）、芍薬（シャクヤク）、昆布、胡桃、さつま芋の葉、木白虹（モクビャッコウ）、シナモンの粉、ナンバンサイカチ（ゴールデンシャワー）、棕櫚（シュロ）、アブラナの種、向日葵、茶樹、バナナ、アコウ亜属、カボチャ、レモン及びサボテンなどの２５種類の漢方薬の粉末をそれぞれ２００ｇで均一状態に混合し、粉末状の放射性廃棄物除染剤を作製した。２５００ｇの粉末状の放射性廃棄物除染剤を反応槽に投入し、７，５００ｍｌの水を添加し、沸騰するまで加熱し、水温を９５〜１１０℃に維持しながら引き続いて１時間ほど煎じ、かつ蒸発水量を２，５００〜５，０００ｍＬの範囲に制御し、固液分離で固体を除去して得られた濾過液を、液状の放射性廃棄物除染剤の試料とする（この除染剤の試料を試料ＷＴ−Ａと表記する）。
【００２９】
［放射性廃棄物及び放射性廃水測定サンプルの準備］
台湾行政院原子能委員会核能研究所の廃棄物処理場よりの放射性廃土（放射性核種はＣｓ−１３７であり、放射能レベルは１３．７Ｂｑ／ｇである）を測定試料１とし（即ち、試料ＷＷ−Ａ）、台湾行政院原子能委員会核能研究所の廃棄物処理場よりの第一種放射性廃水（放射性核種はＣｓ−１３７とＣｏ−６０であり、その中、Ｃｓ−１３７放射能レベルは７．０２Ｂｑ／ｍｌであり、Ｃｏ−６０放射能レベルは３２．４Ｂｑ／ｍｌである）を測定試料２とし（即ち、試料ＷＷ−Ｂ）、台湾行政院原子能委員会核能研究所の廃棄物処理場よりの第二種放射性廃水（放射性核種はＣｓ−１３７とＳｒ−９０であり、その中、Ｃｓ−１３７放射能レベルは１７０Ｂｑ／ｍｌであり、Ｓｒ−９０放射能レベルは４０６０Ｂｑ／ｍｌである）を測定試料３（即ち、試料ＷＷ−Ｃ）とし、測定試料の放射性核種の放射能レベル測定値を下記の［表１］に示す。
【表１】
2014202748.tif 000002
【００３０】
［放射性濃度の分析方法］
Ｓｒ−９０の分析方法は、中低強度の放射性物質のＳｒ−８９、Ｓｒ−９０放出分析操作方法を採用した。本発明の実施例では、米国Ｅｉｃｈｒｏｍ製のＳｒ．Ｓｐｅｃ樹脂に対して、ストロンチウム純化を行い、チェレンコフカウンター（Ｃｅｒｅｎｋｏｖ  ｃｏｕｎｔｉｎｇ）を用いて、水溶液サンプルを直接に測定し、純化後の総溶液の中のＹ−９０の生長及びＳｒ−９０、Ｓｒ−８９の崩壊による計測率の変化を用いてＳｒ−９０、Ｓｒ−８９の濃度を計算する。
【００３１】
Ｃｓ−１３７、Ｃｏ−６０の分析方法は、ガンマスペクトル分析器を利用した。ガンマスペクトル分析器は、主に核種崩壊の時に特定のスペクトルを有する放射線が放射されることに基づいて、ガンマスペクトル分布の特性を鑑定することにより、そのスペクトルの放射される核種を確定するものである。放射線がゲルマニウム検知器に入る際に、外からの電場作用で電子・ホールのペアが発生し、それを両側の電極で収集し、前置増幅器を通して、ゲルマニウム結晶による電荷量と比例するパルス信号を出力し、増幅器でパルス信号を強めて、パルス値の高さによって分別し、収集する。そうすると、パルス振動幅の大きさとエネルギーの比例関係により、異なる放射線の核種を分析することが可能となる。
【００３２】
［実施例１：放射性廃土（Ｃｓ−１３７を含む核種）除染効果試験］
１．１測定ステップ
本発明の除染剤が放射性廃土（Ｃｓ−１３７を含む核種）の除染試験に適用されることによる除染効果を調査した。以下に、除染試験ステップを説明する。
１．放射性廃土５０ｇを取得する（試料ＷＷ−A）、汚染核種Ｃｓ−１３７。
２．放射性廃水（試料ＷＷ−A）の放射能レベルを測定する。
３．本発明の除染剤１００ｍｌと放射性廃土（試料ＷＷ−Ａ）とを混合し、３分間ほど攪拌する。
４．７２時間放置する。
５．混合した放射性廃土を固液分離する。
６．固液分離したろ過液と固形分に対して、それぞれの放射性濃度を測定する。
【００３３】
１．２除染効果の測定結果
台湾行政院原子能委員会核能研究所の廃棄物処理場よりの放射性廃土（試料ＷＷ−Ａ、汚染核種はＣｓ−１３７である）を５０ｇ取得した。その放射能レベルは１３．７Ｂｑ／ｇであるので、放射性廃土の放射性総濃度は６８５Ｂｑである。本発明の除染剤１００ｍｌを取って放射性汚染廃土に投入し、３分間ほど攪拌混合し、７２時間放置し、濾過した後、固形分８０ｇ、液体７０ｍｌを得た。固形分の放射能レベルは８．２Ｂｑ／ｇであるので、固形分の放射性総濃度は６５６Ｂｑであった。液体の放射能レベルはＬＬＤ値（機械の最低測定可能値）より低いので、液体の放射性総濃度もＬＬＤ値（機械の最低測定可能値）より低くなる。除染剤による放射性廃土への除染効果の試験結果を［表２］に表す。
【表２】
2014202748.tif 000003
【００３４】
上記表２から分かるように、本発明の除染剤を、放射性廃棄物除染廃土に投入したら、放射性総濃度は６８５Ｂｑから６５６Ｂｑに下がり、放射性濃度は約４％下がった。また、本発明の除染剤を投入した後に得られた濾過液からは核種Ｃｓ−１３７が検知されなかったので、放射性核種Ｃｓ−１３７は放射性廃土から取り出されなかったことを確認した。
【００３５】
［実施例２：放射性廃棄水（Ｃｓ−１３７＆Ｃｏ−６０を含む核種）除染効果測定］
２．１測定ステップ
以下、本発明の除染剤が放射性廃水（Ｃｓ−１３７  ＆  Ｃｏ−６０を含む核種）の除染試験に使用される効果測定のステップについて、説明する。
１．放射性廃水２５ｍｌ（試料ＷＷ−Ｂ）。汚染核種はＣｓ−１３７とＣｏ−６０である。
２．放射性汚染廃水（試料ＷＷ−Ｂ）の放射性濃度を測定する。
３．本発明の除染剤２５ｍｌと放射性廃水（試料ＷＷ−Ｂ）２５ｍｌとを混合させ、３０秒間攪拌する。
４．２４時間放置する。
５．混合液の放射性濃度を測定する。
【００３６】
２．２除染効果の測定結果
台湾行政院原子能委員会核能研究所廃棄物処理場の放射性廃水（試料ＷＷ−Ｂ、汚染核種はＣｓ−１３７とＣｏ−６０である）を取得した。Ｃｓ−１３７の汚染比放射能は７．０２Ｂｑ／ｇで、Ｃｏ−６０の放射能レベルは３２．４Ｂｑ／ｇである。上記放射性廃水（試料ＷＷ−Ｂ）２５ｍｌと、本発明の除染剤２５ｍｌとを投入し、３０秒間ほど攪拌混合し、２４時間放置した。総体積５０ｍｌの放射性廃水の濃度を測定した結果、Ｃｏ−６０の放射能レベルは１４．１Ｂｑ／ｇであり、Ｃｓ−１３７の放射能レベルは３．１１  Ｂｑ／ｇであった。除染剤による放射性廃水Ｃｓ−１３７とＣｏ−６０への除染効果の試験結果を［表３］に表す。
【表３】
2014202748.tif 000004
【００３７】
［表３］によると、本発明の除染剤は、放射性廃水における放射性核種Ｃｓ−１３７とＣｏ−６０の濃度低減には役に立つことが分かった。又、Ｃｏ−６０の放射性総濃度は８１０Ｂｑから７０５Ｂｑに下がり、約１３％の放射性汚染が除去され、Ｃｓ−１３７放射性総濃度は１７５．５Ｂｑから１５５．５Ｂｑに下がり、約１１％の放射性汚染が除去されたことが確認された。
【００３８】
３．１測定ステップ
以下、本発明の除染剤による放射性廃棄水（Ｃｓ−１３７  ＆  Ｓｒ−９０を含む核種）への除染効果測定試験のステップについて説明する。
１．放射性廃水２５ｍｌ（試料ＷＷ−Ｃ）を取得する。汚染核種はＣｓ−１３７とＳｒ−９０である。
２．放射性汚染廃水（試料ＷＷ−Ｃ）の放射性濃度を測定する。
３．本発明の除染剤２５ｍｌと、放射性廃水２５ｍｌ（サンプル番号ＷＷ−Ｃ）とを混合し、３０秒間攪拌する。
４．２４時間放置する。
５．混合液の放射性濃度を測定する。
【００３９】
３．２除染効果の測定結果
台湾行政院原子能委員会の核能廃棄物処理場よりの放射性廃水（試料ＷＷ−Ｃ、汚染核種はＣｓ−１３７とＳｒ−９０である）を取得した。その中、Ｃｓ−１３７放射能レベルは１７０Ｂｑ／ｍｌであり、Ｓｒ−９０の放射能レベルは４，０６０Ｂｑ／ｍｌである。上記放射性廃水２５ｍｌを取って、本発明の除染剤２５ｍｌを添加し、３０秒間攪拌混合して、２４時間放置した総体積５０ｍｌの廃水濃度を測定した結果、Ｃｓ−１３７放射能レベルは８３．６Ｂｑ／ｍｌであり、Ｓｒ−９０放射能レベルは２，０００Ｂｑ／ｍｌであった。除染剤による放射性廃水Ｃｓ−１３７とＳｒ−９０への除染効果の測定結果を［表４］に表す。
【表４】
2014202748.tif 000005
【００４０】
上記［表４］によると、本発明の除染剤は、放射性廃水における放射性核種Ｃｓ−１３７とＳｒ−９０の濃度を低減できることが分かる。又、Ｓｒ−９０は１０１，５００Ｂｑから１００，０００Ｂｑに下がり、約１％の放射性汚染が除去され、Ｃｓ−１３７は４，２５０Ｂｑから４，１８０Ｂｑに下がり、約２％の放射性汚染が除去されたことが確認された。
【００４１】
前記実施例によると、本発明の除染剤を、処理対象としての放射性廃土に投入して、それを処理した結果、処理後の放射性廃土における放射性濃度は４％除去され、かつ濾過後の濾過液には放射性がないことが明らかである。また、本発明の除染剤を、処理対象としての放射性汚染廃水に投入してそれを処理した結果、処理後の放射性廃水の放射性核種濃度は１〜１３％除去されたことが分かった。
【００４２】
本発明は上述した各実施形態に限定されるものではなく、本発明の主旨と精神を逸脱しない範囲以内であれば、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４３】
上記内容を纏めると、本発明は産業に利用することができるものである。尚、関連先行技術を調べた結果、本発明の漢方薬からなる放射性廃棄物除染剤及びそれを使用した放射性廃棄物の処理方法は、先行技術文献によって開示されておらず、公開実施されていないので、放射性廃棄物処理分野での新規技術である。
また、本発明が具体的な実施例に適用された結果、上記の通り、元々濃度の高い放射性廃棄物が処理を受けた後、放射性濃度が、先行技術だけで達成できないレベルのより低くなるので、本発明は、新規性及び進歩性を十分有しているものである。
なお、構成原料としてはいずれも安い漢方薬であるので、本発明の放射性廃棄物除染剤によれば、大幅に産業の放射性廃棄物の処理コストを下げることができると共に、産業の競争力を上げる効果を果たす。
【符号の説明】
【００４４】
１０  漢方薬原料
１２  粉砕
１４  粉末状の放射性廃棄物除染剤
１５  水
２０  配合
３０  加熱
４０  温度をコントロールしながら煎じる
５０  固液分離
５５  固形分薬カス
６０  液状の放射性廃棄物除染剤
７０  処理待ちの放射性廃棄物
７５  処理待ちの放射性廃水
８０  攪拌混合
９０  放置
９５  濾過液
９７  放射性濃度の低減した廃棄物
９９  放射性濃度の低減した廃水
【図１】
2014202748.tif 000006
【図２】
2014202748.tif 000007
【図３】
2014202748.tif 000008
【図４】
2014202748.tif 000009